(57)【要約】【課題】会計場の混雑緩和を図る。【解決手段】会計装置は、読取手段と、受付手段と、処理手段と、強制手段と、を備える。読取手段は、購入商品の情報を読み取る。受付手段は、代金の支払いを受け付ける。処理手段は、読取手段で読み取った購入商品の情報と受付手段で受け付けた代金の支払い情報とに基づいて決済処理を実行する。強制手段は、読取手段で情報を読み取った購入商品の点数が規定点数に達すると決済処理を強制する。【選択図】      図３
2019204404.tif 000002
【特許請求の範囲】
【請求項１】
購入商品の情報を読み取る読取手段と、
代金の支払いを受け付ける受付手段と、
前記読取手段で読み取った前記購入商品の情報と前記受付手段で受け付けた前記代金の支払い情報とに基づいて決済処理を実行する処理手段と、
前記読取手段で情報を読み取った前記購入商品の点数が規定点数に達すると前記決済処理を強制する強制手段と、
を具備する会計装置。
【請求項２】
前記読取手段と前記受付手段とは、前記購入商品を買い上げる購買者が通過する通路に沿って配置されており、
前記購買者の前記通路の通過を阻止する阻止手段と、
前記決済処理が開始されるまでは前記阻止手段を機能させ、前記決済処理が開始され又は前記決済処理を終えると前記阻止手段の機能を解除する制御手段と、
をさらに具備する請求項１記載の会計装置。
【請求項３】
前記読取手段と前記受付手段とは、前記購入商品を買い上げる購買者が通過する通路に沿って配置されており、
前記購買者の前記通路への進入を阻止する第１阻止手段と、
前記購買者の前記通路からの退出を阻止する第２阻止手段と、
前記第１阻止手段については、前記読取手段による前記購入商品の情報の読取り又は前記受付手段による前記支払いの受付が行われると機能させ、前記決済処理を終えるか、前記決済処理が不能になるとその機能を解除し、前記第２阻止手段については、前記決済処理が開始されるまでは機能させ、前記決済処理が開始され又は前記決済処理を終えるとその機能を解除する制御手段と、
をさらに具備する請求項１記載の会計装置。
【請求項４】
前記読取手段は、前記購買者が前記通路に進入するための入口側に設けられ、
前記受付手段は、前記購買者が前記通路から退出するための出口側に設けられ、
前記強制手段は、前記読取手段で情報を読み取った前記購入商品の点数が規定点数に達する前までは前記読取手段を稼働状態とし、前記規定点数に達すると前記読取手段を非稼働状態として前記決済処理を強制する、請求項２又は３記載の会計装置。
【請求項５】
前記読取手段は、前記購買者が前記通路から退出するための出口側に設けられ、
前記受付手段は、前記購買者が前記通路に進入するための入口側に設けられ、
前記強制手段は、前記受付手段で受け付けた代金の支払情報を受け付けた後、前記読取手段で情報を読み取った前記購入商品の点数が前記規定点数に達すると前記読取手段を非稼働状態として前記決済処理を強制する、請求項２又は３記載の会計装置。
【請求項６】
購入商品の情報を読み取る読取手段と、
代金の支払いを受け付ける受付手段と、
前記読取手段で読み取った前記購入商品の情報と前記受付手段で受け付けた前記代金の支払い情報とに基づいて決済処理を実行する処理手段と、
前記読取手段により読み取られた購入商品の点数が、前記読取手段によって読み取られる購入商品の点数を制限するための規定点数に達した場合、前記読取手段の動作を無効化する無効化手段と、
を具備する会計装置。
【請求項７】
前記規定点数を設定する設定手段、
をさらに具備する請求項２記載の会計装置。
【請求項８】
購入商品の情報を読み取る読取手段、及び、代金の支払いを受け付ける受付手段、を備えた会計装置のコンピュータに、
前記読取手段で読み取った前記購入商品の情報と前記受付手段で受け付けた前記代金の支払い情報とに基づいて決済処理を実行する機能、及び
前記読取手段で情報を読み取った前記購入商品の点数が規定点数に達すると前記決済処理を強制する機能、
を実現させるためのプログラム。
【発明の詳細な説明】
【技術分野】
【０００１】
本発明の実施形態は、会計装置及びそのプログラムに関する。
【背景技術】
【０００２】
商品が陳列される売場と会計を行うための会計場とを区分けしたレイアウトの店舗では、会計方式として、対面会計方式、セルフ会計方式、セミセルフ会計方式等が適用されている。対面会計方式は、販売商品の登録から会計までを店員が行う。セルフ会計方式は、販売商品の登録から会計までを購買者である客が自ら行う。セミセルフ会計方式は、販売商品の登録を店員が行い、会計を客が行う。しかしながら、いずれの会計方式を適用したとしても、混雑のピーク時には会計待ち客の行列ができることは避けられない。
【０００３】
客のなかには、多くの商品をまとめて購入する客もいれば、１，２品の少品目しか購入しない客もいる。例えばコンビニエンスストア又は各種施設内の売店等では、少品目しか購入しない客の比率が高い。そこで、少品目しか購入しない客に対しては、殆ど時間をかけることなくセルフで会計を終わらせることができる会計方式が望まれている。
【先行技術文献】
【特許文献】
【０００４】
【特許文献１】特開２０１０−２６７０１１号公報
【発明の概要】
【発明が解決しようとする課題】
【０００５】
本発明の実施形態が解決しようとする課題は、会計場の混雑緩和を図ることができる会計装置を提供しようとするものである。
【課題を解決するための手段】
【０００６】
一実施形態において、会計装置は、読取手段と、受付手段と、処理手段と、強制手段と、を備える。読取手段は、購入商品の情報を読み取る。受付手段は、代金の支払いを受け付ける。処理手段は、読取手段で読み取った購入商品の情報と受付手段で受け付けた代金の支払い情報とに基づいて決済処理を実行する。強制手段は、読取手段で情報を読み取った購入商品の点数が規定点数に達すると決済処理を強制する。
【図面の簡単な説明】
【０００７】
【図１】本実施形態のコンビニエンスストアで構築されるＰＯＳシステムの概略構成を示すブロック図。
【図２】同コンビニエンスストアのレイアウト例を示す模式図。
【図３】第１の実施形態におけるスルー式ＰＯＳ端末の外観構成を示す模式図。
【図４】同スルー式ＰＯＳ端末の要部回路構成を示すブロック図。
【図５】同スルー式ＰＯＳ端末が有する主要な記憶領域を示す模式図。
【図６】同スルー式ＰＯＳ端末のプロセッサが、メインプログラムに従って実行する主要な情報処理の手順を示す流れ図。
【図７】同スルー式ＰＯＳ端末のプロセッサが、メインプログラムに従って実行する主要な情報処理の手順を示す流れ図。
【図８】同スルー式ＰＯＳ端末のプロセッサが、メインプログラムに従って実行する主要な情報処理の手順を示す流れ図。
【図９】同スルー式ＰＯＳ端末のプロセッサが、メインプログラムに従って実行する主要な情報処理の手順を示す流れ図。
【図１０】第２の実施形態におけるスルー式ＰＯＳ端末の外観構成を示す模式図。
【図１１】同スルー式ＰＯＳ端末のプロセッサが、メインプログラムに従って実行する主要な情報処理の手順を示す流れ図。
【図１２】同スルー式ＰＯＳ端末のプロセッサが、メインプログラムに従って実行する主要な情報処理の手順を示す流れ図。
【図１３】同スルー式ＰＯＳ端末のプロセッサが、メインプログラムに従って実行する主要な情報処理の手順を示す流れ図。
【図１４】第３の実施形態における対面式ＰＯＳ端末の要部回路構成を示すブロック図。
【図１５】同対面式ＰＯＳ端末の外観構成を示す模式図。
【図１６】同対面式ＰＯＳ端末のプロセッサが、メインプログラムに従って実行する主要な情報処理の手順を示す流れ図。
【図１７】同対面式ＰＯＳ端末のプロセッサが、メインプログラムに従って実行する主要な情報処理の手順を示す流れ図。
【図１８】同対面式ＰＯＳ端末のプロセッサが、メインプログラムに従って実行する主要な情報処理の手順を示す流れ図。
【発明を実施するための形態】
【０００８】
以下、会計場の混雑緩和を図ることができる会計装置の実施形態について、図面を用いて説明する。  
なお、この実施形態では、本会計装置を導入する店舗としてコンビニエンスストアを例示する。因みに会計装置とは、会計処理を実行するための装置を称する。会計処理とは、商品登録処理と決済処理とを含む。商品登録処理及び決済処理については以下の説明で明らかにする。
【０００９】
［第１の実施形態］
図１は、本実施形態のコンビニエンスストア１０で構築されるＰＯＳ（Point Of Sales）システム１の概略構成を示すブロック図であり、図２は、同コンビニエンスストア１０のレイアウト例を示す模式図である。図１に示すように、ＰＯＳシステム１は、対面式ＰＯＳ端末２０、スルー式ＰＯＳ端末３０及びストアサーバ４０と、ネットワーク５０と、を含む。ネットワーク５０は、対面式ＰＯＳ端末２０及びスルー式ＰＯＳ端末３０を、ストアサーバ４０と通信自在に接続するためのものである。ネットワーク５０は、例えば有線のＬＡＮ（Local Area Network）である。ネットワーク５０は、例えばワイファイ等の無線通信規格に準拠した無線ＬＡＮであってもよい。ネットワーク５０は、例えば対面式ＰＯＳ端末２０とストアサーバ４０とを有線ＬＡＮで接続し、スルー式ＰＯＳ端末３０とストアサーバ４０とを無線ＬＡＮで接続するというように、有線ＬＡＮと無線ＬＡＮとが混在してもよい。
【００１０】
対面式ＰＯＳ端末２０は、店員の操作により、客が購入する商品の登録から会計までを処理する対面会計方式に対応した会計装置である。このような対面式ＰＯＳ端末２０は、既存のコンビニエンスストア等で導入されており、周知であるので、詳細な説明は省略する。
【００１１】
スルー式ＰＯＳ端末３０は、少品目しか購入しない客向けに、袋詰めなしにスムーズにセルフ会計方式で会計を済ませることができる会計装置である。スルー式ＰＯＳ端末３０の詳細については、後述する。
【００１２】
対面式ＰＯＳ端末２０及びスルー式ＰＯＳ端末３０の台数は、特に限定されるものではない。本実施形態では、対面式ＰＯＳ端末２０の台数を２台とし、スルー式ＰＯＳ端末３０の台数を１台とする。
【００１３】
図２に示すように、コンビニエンスストア１０は、複数の商品陳列棚１１が配置された売場１２と、会計用カウンタ１３が配置された会計場１４とに区分けされる。そして、売場１２と会計場１４との境界付近に、店内への出入口１５が設けられている。また、上記出入口１５とは別に、少品目しか購入しない客を対象とした出口１６が設けられている。出口１６は、出入口１５よりも会計場１４に近い側に設けられている。出口１６には、スルー式ＰＯＳ端末３０が設置されている。対面式ＰＯＳ端末２０は、会計用カウンタ１３の上に設置されている。
【００１４】
コンビニエンスストア１０のレイアウト例は、図２のレイアウトに限定されるものではない。少なくとも出入口１５から入店した客が、売場１２の商品陳列棚１１に陳列されている商品を購入し会計場１４で会計を行う。このとき、１，２品目の少品目しか購入しない客の一部はスルー式ＰＯＳ端末３０を使用して会計を行い、退出路から店外へ出る。その他の客は、対面式ＰＯＳ端末２０を使用して会計を行い、出入口１５から店外へ出る。このような動線を確保できるレイアウトであればよい。
【００１５】
ストアサーバ４０は、対面式ＰＯＳ端末２０及びスルー式ＰＯＳ端末３０で実行される登録業務及び会計業務を一元的に管理するコンピュータ機器である。ストアサーバ４０は、対面式ＰＯＳ端末２０及びスルー式ＰＯＳ端末３０で登録された各商品の販売データを収集し集計することで、各商品の売上、在庫等を管理する。ストアサーバ４０は、対面式ＰＯＳ端末２０及びスルー式ＰＯＳ端末３０で処理された会計のデータを収集し集計することで、店舗の売上、損失等を管理する。
【００１６】
ストアサーバ４０は、広域ネットワーク６０に接続されている。広域ネットワーク６０には、電子マネーサーバ７０、電子レシートサーバ８０、連携サーバ９０等が接続されている。ストアサーバ４０は、広域ネットワーク６０を介して電子マネーサーバ７０、電子レシートサーバ８０、連携サーバ９０等とデータ通信を行うことができる。
【００１７】
電子マネーサーバ７０は、電子マネーの利用者が所有する電子マネーの残高を管理する。電子マネーサーバ７０の記憶装置は、利用者を識別する第１ユーザＩＤと関連付けて、その利用者の電子マネー残高を記憶する。電子マネーサーバ７０は、ストアサーバ４０とのデータ通信により、対面式ＰＯＳ端末２０又はスルー式ＰＯＳ端末３０で電子マネー決済を行った利用者の電子マネー残高を更新する。
【００１８】
電子レシートサーバ８０は、電子レシートの利用者に対して発行される電子レシートデータを管理する。電子レシートサーバ８０の記憶装置は、利用者を識別する第２ユーザＩＤと関連付けて、その利用者に対して対面式ＰＯＳ端末２０又はスルー式ＰＯＳ端末３０で作成された電子レシートデータを記憶する。電子レシートデータは、利用者が購入した商品の明細及び決済金額等が記録されるレシートを電子化したものである。電子レシートサーバ８０の記憶装置に記憶された電子レシートデータは、その電子レシートデータに関連付けられた第２ユーザＩＤで識別される利用者が、スマートフォン、タブレット端末等を利用して電子レシートサーバ８０にアクセスすることにより、閲覧することができる。
【００１９】
連携サーバ９０は、電子マネーの利用者と電子レシートの利用者とが同一人物の場合に、その利用者に対する第１ユーザＩＤと第２ユーザＩＤとの連携を図る。電子マネーの利用者は、第１ユーザＩＤが記録された記録媒体を所有する。記録媒体は、例えばＩＣカード、スマートフォン等である。同様に、電子レシートの利用者は、第２ユーザＩＤが記録された記録媒体を所有する。記録媒体は、例えばＩＣカード、スマートフォン等である。
【００２０】
対面式ＰＯＳ端末２０又はスルー式ＰＯＳ端末３０において電子マネー決済が実行されると、第１ユーザＩＤとともに決済金額が電子マネーサーバ７０に送信される。電子マネーサーバ７０は、当該第１ユーザＩＤに関連付けられた電子マネー残高と決済金額とを比較する。電子マネーサーバ７０は、電子マネー残高が決済金額以上であれば電子マネー決済を承認し、電子マネー残高を決済金額分減額した金額に更新する。電子マネー決済が承認されると、対面式ＰＯＳ端末２０又はスルー式ＰＯＳ端末３０においては、電子レシートデータが生成され、第１ユーザＩＤとともに電子レシートデータが電子レシートサーバ８０に送信される。電子レシートサーバ８０は、連携サーバ９０と通信を行い、当該第１ユーザＩＤと連携する第２ユーザＩＤを取得する。電子レシートサーバ８０は、連携サーバ９０から取得した第２ユーザＩＤと関連付けて電子レシートデータを記憶装置に記憶させる。このように、電子マネーの利用者が電子レシートの利用者でもある場合には、電子マネー決済を行うことで、自動的に電子レシートデータが利用者に提供され得る。
【００２１】
図３は、スルー式ＰＯＳ端末３０の外観構成を示す模式図であり、図４は、スルー式ＰＯＳ端末３０の要部回路構成を示すブロック図である。図３に示すように、スルー式ＰＯＳ端末３０は、会計場１４から出口１６に通じる通路１７に沿って配置されている。具体的には、通路１７の一方の側にスルー式ＰＯＳ端末３０の筐体３００が設置されている。通路１７の他方の側には、図２に示すように、筐体３００と対峙するように衝立１８が設置されている。つまり、筐体３００と衝立１８との間に通路１７が形成されている。なお、通路は、本実施形態のように必ずしも筐体３００と衝立１８とにより形成されている必要は無く、筐体３００が複数設けられている場合においては、別の筐体３００とにより形成された空間であっても良い。
【００２２】
電子マネー及び電子レシートの利用者で、かつ、少品目しか購入せず、袋詰めが不要な客は、会計場１４から出口１６に向かって通路１７を矢印１９で示す方向に歩行する。客は、通路１７を歩行しているときにスルー式ＰＯＳ端末３０を操作して購入する商品の登録と、電子マネー決済による会計と、を自ら行う。客は、会計を終えると、商品を袋詰めすることなく出口１６から店外へ出る。スルー式ＰＯＳ端末３０は、上述したような客の行動を可能とするものである。
【００２３】
図４に示すように、スルー式ＰＯＳ端末３０は、プロセッサ３０１、メインメモリ３０２、補助記憶デバイス３０３、通信インターフェース３０４、スキャナ３０５、リーダ・ライタ３０６、タッチパネル３０７、Ｉ／Ｏ（Input/Output）ポート３０８、入口センサ３０９、出口センサ３１０、通路センサ３１１、入口扉３１２、出口扉３１３及びシステム伝送路３１４を備える。システム伝送路３１４は、アドレスバス、データバス、制御信号線等を含む。スルー式ＰＯＳ端末３０では、システム伝送路３１４に、プロセッサ３０１、メインメモリ３０２、補助記憶デバイス３０３、通信インターフェース３０４、スキャナ３０５、リーダ・ライタ３０６、タッチパネル３０７及びＩ／Ｏポート３０８を接続する。スルー式ＰＯＳ端末３０では、プロセッサ３０１、メインメモリ３０２及び補助記憶デバイス３０３と、これらを接続するシステム伝送路３１４とによってコンピュータを構成する。
【００２４】
プロセッサ３０１は、上記コンピュータの中枢部分に相当する。プロセッサ３０１は、オペレーティングシステム又はアプリケーションプログラムに従って、スルー式ＰＯＳ端末３０としての各種の機能を実現するべく各部を制御する。プロセッサ３０１は、例えばＣＰＵ（Central Processing Unit）である。
【００２５】
メインメモリ３０２は、上記コンピュータの主記憶部分に相当する。メインメモリ３０２は、不揮発性のメモリ領域と揮発性のメモリ領域とを含む。メインメモリ３０２は、不揮発性のメモリ領域ではオペレーティングシステム又はアプリケーションプログラムを記憶する。メインメモリ３０２は、プロセッサ３０１が各部を制御するための処理を実行する上で必要なデータを不揮発性又は揮発性のメモリ領域で記憶する場合もある。メインメモリ３０２は、揮発性のメモリ領域を、プロセッサ３０１によってデータが適宜書き換えられるワークエリアとして使用する。不揮発性のメモリ領域は、例えばＲＯＭ（Read Only Memory）である。揮発性のメモリ領域は、例えばＲＡＭ（Random Access Memory）である。
【００２６】
補助記憶デバイス３０３は、上記コンピュータの補助記憶部分に相当する。例えばＥＥＰＲＯＭ（Electric Erasable Programmable Read-Only Memory）、ＨＤＤ（Hard Disk Drive）、あるいはＳＳＤ（Solid State Drive）等が補助記憶デバイス３０３となり得る。補助記憶デバイス３０３は、プロセッサ３０１が各種の処理を行う上で使用するデータ、プロセッサ３０１での処理によって作成されたデータ等を保存する。補助記憶デバイス３０３は、上記のアプリケーションプログラムを記憶する場合もある。
【００２７】
通信インターフェース３０４は、ネットワーク５０を介して接続されたストアサーバ４０と通信プロトコルに従いデータ通信を行う。
【００２８】
スキャナ３０５は、商品に付されたバーコード、二次元データコード等のコードシンボルを読み取るためのデバイスである。スキャナ３０５は、レーザ光の走査によりコードシンボルを読み取るタイプであってもよい。スキャナ３０５は、撮像デバイスで撮像した画像からコードシンボルを読み取るタイプであってもよい。
【００２９】
図３に示すように、筐体３００における上面３００Ａの会計場１４に近い側にスキャナ３０５の読取窓３０５Ａが設けられている。スルー式ＰＯＳ端末３０の利用客が商品に付されたコードシンボルを読取窓３０５Ａに翳すと、スキャナ３０５は、そのコードシンボルをスキャンして、商品ＩＤ等の読取りを行う。ここに、スキャナ３０５は、スルー式ＰＯＳ端末３０の読取手段として機能する。
【００３０】
リーダ・ライタ３０６は、近距離無線通信を利用して非接触により記録媒体に記録されたデータの読取りと、その記録媒体へのデータの書込みとを行う。記録媒体は、典型的には、第１ユーザＩＤが記録された非接触式のＩＣカード、スマートフォン等である。リーダ・ライタ３０６は、他の記録媒体に対してデータの読取りまたはデータの書込みを行ってもよい。
【００３１】
図３に示すように、筐体３００における上面３００Ａの略中央にリーダ・ライタ３０６のアンテナ３０６Ａが設けられている。スルー式ＰＯＳ端末３０の利用客が記録媒体をアンテナ３０６Ａに翳すと、リーダ・ライタ３０６は、近距離無線通信によりその記録媒体に記録されているデータの読取りを行う。リーダ・ライタ３０６は、アンテナ３０６Ａに翳されている記録媒体に対して書込みデータが有る場合には、近距離無線通信によりその記録媒体にデータの書込みを行う。ここに、リーダ・ライタ３０６は、スルー式ＰＯＳ端末３０の受付手段として機能する。
【００３２】
タッチパネル３０７は、スルー式ＰＯＳ端末３０の入力デバイス及び表示デバイスとして機能する。タッチパネル３０７は、スルー式ＰＯＳ端末３０の利用客による操作入力を受け付ける。タッチパネル３０７は、その利用客に対して必要な情報の表示を行う。
【００３３】
図３に示すように、筐体３００における上面３００Ａの出口１６に近い側にタッチパネル３０７が設けられている。タッチパネル３０７は、その画面３０７Ａを通路１７への進入口の側に向けて、筐体３００の上面３００Ａに取り付けられている。
【００３４】
Ｉ／Ｏポート３０８は、入口センサ３０９、出口センサ３１０及び通路センサ３１１からそれぞれセンシング信号を入力する機能と、入口扉３１２及び出口扉３１３に対して開閉信号を出力する機能とを有する。
【００３５】
図３に示すように、入口センサ３０９、出口センサ３１０及び通路センサ３１１は、筐体３００の衝立１８と対向する側面３００Ｂに設けられている。入口センサ３０９は、会計場１４に近い側に設けられている。出口センサ３１０は、出口１６に近い側に設けられている。通路センサ３１１は、入口センサ３０９と出口センサ３１０との間に設けられている。通路センサ３１１は、複数のセンシング素子を通路１７に沿って配列した構造となっており、少なくとも１つのセンシング素子がオンすると、オン信号を出力する。
【００３６】
入口センサ３０９は、会計場１４から通路１７へと進入する利用客を検知する。出口センサ３１０は、通路１７から店外へと退出する利用客を検知する。通路センサ３１１は、通路１７を歩行する利用客を検知する。入口センサ３０９、出口センサ３１０及び通路センサ３１１は、いわゆる人感センサである。人感センサの種類は、特に限定されるものではない。例えば赤外線を利用した熱センサであってもよいし、光の反射を利用した光センサであってもよい。
【００３７】
図３に示すように、入口扉３１２及び出口扉３１３は、筐体３００の衝立１８と対向する側面３００Ｂに設けられている。入口扉３１２は、会計場１４に近い側に設けられている。入口扉３１２は、筐体３００に取り付けられた一辺を回転の中心とし、矢印３１２Ａまたは矢印３１２Ｂに示すように、通路１７の面と平行に往復して回動することで、会計場１４から通路１７への進入路の開閉を行う。出口扉３１３は、出口１６に近い側に設けられている。出口扉３１３は、筐体３００に取り付けられた一辺を回転の中心とし、矢印３１３Ａまたは矢印３１３Ｂで示すように、通路１７の面と平行に往復して回動することで、通路１７から出口１６への退出路の開閉を行う。
【００３８】
図３に示す入口扉３１２及び出口扉３１３は、一例である。入口扉３１２及び出口扉３１３の構造は、図３に示すものに限定されるものではない。例えば、筐体３００の側面３００Ｂに取り付けられた一点を回転の中心として、通路１７の面と垂直に往復して回動することで、進入路又は退出路を開閉するものであってもよい。あるいは、入口扉３１２及び出口扉３１３は、筐体３００と対向する衝立１８に設けてもよい。ここに、入口扉３１２は、スルー式ＰＯＳ端末３０の第１阻止手段として機能する。出口扉３１３は、スルー式ＰＯＳ端末３０の第２阻止手段若しくは阻止手段として機能する。
【００３９】
かかる構成のスルー式ＰＯＳ端末３０は、図５に示すように、カウンタエリア３１と規定点数エリア３２とを備えている。カウンタエリア３１は、カウント値ｎを記述するための領域である。カウンタエリア３１は、メインメモリ３０２の揮発性領域に形成されている。規定点数エリア３２は、規定点数Ｎを記述するための領域である。規定点数エリア３２は、補助記憶デバイス３０３に形成されている。
【００４０】
規定点数エリア３２には、予め規定点数Ｎが記述されている。規定点数Ｎは、スルー式ＰＯＳ端末３０で会計が可能な商品の数の上限値である。つまりスルー式ＰＯＳ端末３０は、規定点数を超える数の商品の登録を認めない。スルー式ＰＯＳ端末３０は、少品目しか購入しない客向けに、袋詰めなしにスムーズにセルフ会計方式で会計を済ませることができる専用の会計装置である。したがって規定点数Ｎは、典型的には“１”又は“２”が好ましい。ただし、規定点数Ｎを“３”以上とすることを否定するものではない。規定点数Ｎをいくつにするかは任意である。商品の購買履歴などからＰＯＳシステム１の管理者が規定点数Ｎを適宜設定することができる。規定点数エリア３２に一旦設定した規定点数Ｎを変更することも可能である。また、一日の時間帯、あるいは曜日等によって規定点数Ｎが自動的に変更されてもよい。すなわちプロセッサ３０１を主体とするコンピュータは、規定点数エリア３２に任意の規定点数Ｎを設定するための設定手段として機能する。
【００４１】
図６乃至図９は、スルー式ＰＯＳ端末３０のプロセッサ３０１が、メインプログラムに従って実行する主要な情報処理の手順を示す流れ図である。以下、これらの流れ図を用いて、スルー式ＰＯＳ端末３０の動作を説明する。なお、以下に説明する動作は一例である。同様な結果を得ることが可能であればその動作の手順及び内容は特に限定されるものではない。
【００４２】
スルー式ＰＯＳ端末３０の電源が投入され、メインプログラムが起動すると、プロセッサ３０１は、Ａｃｔ１としてスキャナ３０５とリーダ・ライタ３０６に対してそれぞれディスエイブル信号を出力する。このディスエイブル信号により、スキャナ３０５とリーダ・ライタ３０６は、いずれもその機能を停止する。したがって、仮に商品に付されたコードシンボルが読取窓３０５Ａに翳されても、スキャナ３０５は、そのコードシンボルを読み取らない。非接触式のＩＣカード、スマートフォン等の記録媒体がアンテナ３０６Ａに翳されても、リーダ・ライタ３０６は、記録媒体のデータを読み取らない。
【００４３】
プロセッサ３０１は、Ａｃｔ２として入口扉３１２の開動作と出口扉３１３の閉動作とを制御する。この制御により、Ｉ／Ｏポート３０８から入口扉３１２に対して開信号が出力される。また、Ｉ／Ｏポート３０８から出口扉３１３に対して閉信号が出力される。その結果、入口扉３１２は、図３の矢印３１２Ｂの方向に回転して、通路１７への進入路を開放する。出口扉３１３は、図３の矢印３１３Ａの方向に回転して、通路１７からの退出路を閉塞する。したがって、スルー式ＰＯＳ端末３０の利用客は、会計場１４から通路１７に進入することができる。しかし、通路１７に進入した利用客は、出口１６から店外に退出することはできない。通路１７に進入した利用客は、会計場１４へ戻ることは可能である。
【００４４】
プロセッサ３０１は、Ａｃｔ３として進入路から利用客が進入したか否かを確認する。入口センサ３０９及び通路センサ３１１の検知信号がいずれもオフであり、利用客の進入を確認できない場合、プロセッサ３０１は、Ａｃｔ３においてＮＯと判定し、再びＡｃｔ３に戻る。すなわちプロセッサ３０１は、進入路から利用客が進入するのを待ち続ける。
【００４５】
入口センサ３０９の検知信号がオフからオンに変化し、続いて通路センサ３１１の検知信号がオフからオンに変化すると、プロセッサ３０１は、進入路から利用客が進入したと判定する。このときプロセッサ３０１は、Ａｃｔ３においてＹＥＳと判定し、Ａｃｔ４へと進む。プロセッサ３０１は、Ａｃｔ４としてカウンタエリア３１のカウント値ｎを“０”にリセットする。
【００４６】
プロセッサ３０１は、Ａｃｔ５としてスキャナ３０５に対してイネーブル信号を出力する。このイネーブル信号により、スキャナ３０５は、その機能を有効にする。したがって、進入路から進入した利用客が、商品に付されたコードシンボルを読取窓３０５Ａに翳すと、スキャナ３０５は、そのコードシンボルを読み取る。
【００４７】
プロセッサ３０１は、Ａｃｔ６として商品スキャンの有無を確認する。すなわちプロセッサ３０１は、スキャナ３０５において商品に付されたコードシンボルが読み取られると商品スキャンが有りと判断する。例えば、進入路から利用客が侵入したと検知した後、一定時間が経過してもスキャナ３０５による商品ＩＤの読取がない場合、プロセッサ３０１は、商品スキャンが無いと判断する。商品スキャンが無い場合、プロセッサ３０１は、Ａｃｔ７として進入路から利用客が退出したか否かを確認する。通路センサ３１１がオンであり利用客の退出を確認できない場合、プロセッサ３０１は、Ａｃｔ７においてＮＯと判定し、Ａｃｔ６へと戻る。したがって、プロセッサ３０１は、Ａｃｔ６及びＡｃｔ７により、商品スキャンが行われるか利用客が進入路から退出するのを待ち受ける。
【００４８】
Ａｃｔ６及びＡｃｔ７の待ち受け状態において、通路センサ３１１がオンからオフに変化し、続いて入口センサ３０９がオンからオフに変化すると、プロセッサ３０１は、利用客が進入路から退出したことを確認する。利用客が進入路から退出すると、プロセッサ３０１は、Ａｃｔ７においてＹＥＳと判定し、Ａｃｔ８へと進む。プロセッサ３０１は、Ａｃｔ８としてスキャナ３０５に対してディスエイブル信号を出力する。このディスエイブル信号により、スキャナ３０５は、その機能を停止する。
【００４９】
スキャナ３０５に対してディスエイブル信号を出力したプロセッサ３０１は、Ａｃｔ３へと戻る。すなわちプロセッサ３０１は、再び進入路から利用客が進入するのを待ち続ける。
【００５０】
プロセッサ３０１は、Ａｃｔ６及びＡｃｔ７の待ち受け状態において、商品スキャンが有ると、Ａｃｔ６においてＹＥＳと判定し、図７のＡｃｔ１１へと進む。プロセッサ３０１は、Ａｃｔ１１としてスキャナ３０５で読み取られたコードシンボルからそのコードシンボルが付されている商品を特定する。そしてプロセッサ３０１は、その商品がスルー式ＰＯＳ端末３０において登録が可能な商品であるか否かを確認する。
【００５１】
例えば、酒類、煙草等のように年齢制限のある商品は、店員による客の年齢確認が必要である。また、第１類又は第２類に属する医薬品は、薬剤師又は登録販売者による情報提供が必要である。このような年齢制限のある商品及び情報提供が必要な医薬品は、セルフ会計方式のスルー式ＰＯＳ端末３０では会計を行えない。そこで、スルー式ＰＯＳ端末３０では会計を行えない商品のリストが補助記憶デバイス３０３に保存されている。プロセッサ３０１は、コードシンボルから特定された商品がリストにある場合には登録不能とし、リストにない場合には登録可能とする。
【００５２】
登録が不能な場合、プロセッサ３０１は、Ａｃｔ１１においてＮＯと判定し、Ａｃｔ２２へと進む。プロセッサ３０１は、Ａｃｔ２２としてスキャナ３０５に対してディスエイブル信号を出力する。このディスエイブル信号により、スキャナ３０５は、その機能を停止する。したがって、利用客は商品の登録を行えなくなる。またこのとき、リーダ・ライタ３０６はその機能を停止している。したがって、利用客は電子マネーによる会計も行うことはできない。
【００５３】
プロセッサ３０１は、Ａｃｔ２３として商品の登録不可を通知するメッセージをタッチパネル３０７に表示させる。メッセージは、利用客が購入する商品はスルー式ＰＯＳ端末では会計を行えないこと、会計場１４の対面式ＰＯＳ端末２０で会計をすること、を指示する内容が好ましい。
【００５４】
その後、プロセッサ３０１は、図９のＡｃｔ４１の処理へと進む。Ａｃｔ４１以降の処理については、後述する。
【００５５】
一方、登録が可能な場合には、プロセッサ３０１は、Ａｃｔ１１においてＹＥＳと判定し、Ａｃｔ１２へと進む。プロセッサ３０１は、Ａｃｔ１２として商品登録処理を実行する。すなわちプロセッサ３０１は、コードシンボルから特定された商品の商品ＩＤ、商品名、価格等の商品データをストアサーバ４０から取得する。プロセッサ３０１は、商品データを基に、商品ＩＤ、商品名、価格、販売点数、販売金額等を含む商品販売データを生成し、メインメモリ３０２に登録する。またプロセッサ３０１は、商品名、価格等をタッチパネル３０７に表示させる。このような商品登録処理は、対面式ＰＯＳ端末２０を含む既存のＰＯＳ端末において実行される周知の処理である。
【００５６】
プロセッサ３０１は、商品登録処理を終えると、Ａｃｔ１３としてカウント値ｎを調べる。カウント値ｎが“０”の場合、プロセッサ３０１は、Ａｃｔ１３においてＹＥＳと判定し、Ａｃｔ１４へと進む。プロセッサ３０１は、Ａｃｔ１４として入口扉３１２の閉動作を制御する。この制御により、Ｉ／Ｏポート３０８から入口扉３１２に対して閉信号が出力される。その結果、入口扉３１２は、図３の矢印３１２Ａの方向に回転して、進入路を閉塞する。したがって、商品登録処理が実行されると、通路１７内の利用客以外の客が通路１７に進入することは阻止される。
【００５７】
プロセッサ３０１は、Ａｃｔ１５としてリーダ・ライタ３０６にイネーブル信号を出力する。このイネーブル信号によりリーダ・ライタ３０６はその機能を有効にする。したがって、通路１７内の利用客が電子マネーに係る記録媒体をアンテナ３０６Ａに翳すと、リーダ・ライタ３０６によってその記録媒体に記録されている電子マネーのデータ、つまりは第１ユーザＩＤが非接触で読み取られる。
【００５８】
Ａｃｔ１４及びＡｃｔ１５の処理を終えると、プロセッサ３０１は、Ａｃｔ１６へと進む。一方、Ａｃｔ１３においてカウント値ｎが“１”以上であった場合には、プロセッサ３０１は、Ａｃｔ１３においてＮＯと判定し、Ａｃｔ１４及びＡｃｔ１５の処理をスキップして、Ａｃｔ１６へと進む。
【００５９】
プロセッサ３０１は、Ａｃｔ１６としてカウント値ｎを“１”だけカウントアップする。プロセッサ３０１は、Ａｃｔ１７としてカウント値ｎが規定点数Ｎに達したか否かを確認する。カウント値ｎが規定点数Ｎに達した場合には、プロセッサ３０１は、Ａｃｔ１７においてＹＥＳと判定し、図８のＡｃｔ３１へと進む。Ａｃｔ３１以降の処理については後述する。
【００６０】
一方、カウント値ｎが規定点数Ｎに達していない場合には、プロセッサ３０１は、Ａｃｔ１７においてＮＯと判定し、Ａｃｔ１８へと進む。プロセッサ３０１は、Ａｃｔ１８として商品スキャンの有無を確認する。商品スキャンが無い場合、プロセッサ３０１は、Ａｃｔ１８においてＮＯと判定し、Ａｃｔ１９へと進む。プロセッサ３０１は、Ａｃｔ１９として中止ボタンが操作されたか否かを確認する。中止ボタンは、タッチパネル３０７の画面３０７Ａに表示されている。中止ボタンが操作されていない場合、プロセッサ３０１は、Ａｃｔ１９においてＮＯと判定し、Ａｃｔ２０へと進む。プロセッサ３０１は、Ａｃｔ２０としてリーダ・ライタ３０６により電子マネーのデータが読み取られたか否かを確認する。電子マネーのデータが読み取られていない場合、プロセッサ３０１は、Ａｃｔ２０においてＮＯと判定し、Ａｃｔ１８へと戻る。したがってプロセッサ３０１は、Ａｃｔ１８乃至Ａｃｔ２０により、商品スキャンが行われるか、中止ボタンが操作されるか、電子マネーのデータが読み取られるのを待ち受ける。
【００６１】
前述したように規定点数Ｎは、“１”または”２”が好ましい。規定点数Ｎが“１”であった場合には、Ａｃｔ１７においてＹＥＳと判定されるので、Ａｃｔ１８乃至Ａｃｔ２０の待ち受け状態にはならない。規定点数Ｎが“２”であった場合には、Ａｃｔ１８乃至Ａｃｔ２０の待ち受け状態になる。
【００６２】
Ａｃｔ１８乃至Ａｃｔ２０の待ち受け状態において、商品スキャンが行われたことを確認すると、プロセッサ３０１は、Ａｃｔ１８においてＹＥＳと判定し、Ａｃｔ１１へと戻る。以後、プロセッサ３０１は、Ａｃｔ１１以降の処理を再び実行する。
【００６３】
したがって、スキャンされた商品が登録可能な商品であったならば、その商品の登録処理が実行される。また、カウント値ｎが“１”だけカウントアップする。このとき、カウント値ｎは、“１”以上であるので、Ａｃｔ１４及びＡｃｔ１５の処理は実行されない。そして、カウント値ｎが規定点数Ｎに達すると、図８のＡｃｔ３１へと進む。
【００６４】
Ａｃｔ１８乃至Ａｃｔ２０の待ち受け状態において、中止ボタンが操作された場合には、プロセッサ３０１は、Ａｃｔ１９においてＹＥＳと判定し、Ａｃｔ２４へと進む。プロセッサ３０１は、Ａｃｔ２４としてスキャナ３０５に対してディスエイブル信号を出力する。このディスエイブル信号により、スキャナ３０５は、その機能を停止する。その後、プロセッサ３０１は、図９のＡｃｔ４１の処理へと進む。
【００６５】
Ａｃｔ１８乃至Ａｃｔ２０の待ち受け状態において、リーダ・ライタ３０６により電子マネーのデータが読み取られた場合、プロセッサ３０１は、Ａｃｔ２０においてＹＥＳと判定し、Ａｃｔ２１へと進む。プロセッサ３０１は、Ａｃｔ２１としてスキャナ３０５に対してディスエイブル信号を出力する。このディスエイブル信号により、スキャナ３０５は、その機能を停止する。その後、プロセッサ３０１は、図８のＡｃｔ３５の処理へと進む。Ａｃｔ３５以降の処理については後述する。
【００６６】
上述したように、カウント値ｎが規定点数Ｎに達すると、プロセッサ３０１は、図８のＡｃｔ３１へと進む。プロセッサ３０１は、Ａｃｔ３１としてスキャナ３０５に対してディスエイブル信号を出力する。このディスエイブル信号により、スキャナ３０５は、その機能を停止する。またプロセッサ３０１は、Ａｃｔ３２として電子マネーによる決済を行うように指示するメッセージをタッチパネル３０７に表示させる。メッセージは、電子マネーの記録媒体をアンテナ３０６Ａに翳すことを指示する内容が好ましい。したがって、通路内の利用客は、電子マネーの記録媒体をアンテナ３０６Ａに翳すこととなる。あるいは利用客は、電子マネー以外の支払方法を希望する場合には、中止ボタンを操作することとなる。
【００６７】
プロセッサ３０１は、Ａｃｔ３３として中止ボタンが操作されたか否かを確認する。中止ボタンが操作されていない場合、プロセッサ３０１は、Ａｃｔ３３においてＮＯと判定し、Ａｃｔ３４へと進む。プロセッサ３０１は、Ａｃｔ３４としてリーダ・ライタ３０６により電子マネーのデータが読み取られたか否かを確認する。電子マネーのデータが読み取られていない場合、プロセッサ３０１は、Ａｃｔ３４においてＮＯと判定し、Ａｃｔ３３へと戻る。したがってプロセッサ３０１は、Ａｃｔ３３及びＡｃｔ３４により、中止ボタンが操作されるか、電子マネーのデータが読み取られるのを待ち受ける。
【００６８】
Ａｃｔ３３及びＡｃｔ３４の待ち受け状態において、中止ボタンが操作された場合には、プロセッサ３０１は、Ａｃｔ３３においてＹＥＳと判定し、図９のＡｃｔ４１の処理へと進む。
【００６９】
Ａｃｔ３３及びＡｃｔ３４の待ち受け状態において、リーダ・ライタ３０６により電子マネーのデータが読み取られた場合、プロセッサ３０１は、Ａｃｔ３４においてＹＥＳと判定し、Ａｃｔ３５へと進む。
【００７０】
このように、カウント値ｎが規定点数Ｎに達した後、リーダ・ライタ３０６で電子マネーのデータが読み取られた場合、あるいはカウント値ｎが規定点数Ｎに達する前にリーダ・ライタ３０６で電子マネーのデータが読み取られた場合、プロセッサ３０１は、Ａｃｔ３５へと進む。プロセッサ３０１は、Ａｃｔ３５として電子マネーによる決済が可能か否かを確認する。すなわちプロセッサ３０１は、リーダ・ライタ３０６で読み取られた第１ユーザＩＤに関連付けられて電子マネーサーバ７０で管理されている電子マネー残高が、決済金額以上であるか否かを確認する。決済金額は、Ａｃｔ１２の商品登録処理で算出されている。
【００７１】
電子マネー残高が決済金額に対して不足している場合、電子マネー決済は不可能である。電子マネー決済が不可能な場合、プロセッサ３０１は、Ａｃｔ３５においてＮＯと判定し、Ａｃｔ３６へと進む。プロセッサ３０１は、Ａｃｔ３６として決済不可を通知するメッセージをタッチパネル３０７に表示させる。メッセージは、電子マネーの残高が不足しており決済ができないこと、電子マネー以外の支払方法を選択する場合には中止ボタンを操作することを指示する内容が好ましい。その後、プロセッサ３０１は、Ａｃｔ３３の処理へと戻る。すなわちプロセッサ３０１は、Ａｃｔ３３及びＡｃｔ３４の待ち受け状態に戻る。
【００７２】
これに対し、電子マネー残高が決済金額以上あり、電子マネー決済が可能である場合には、プロセッサ３０１は、Ａｃｔ３５においてＹＥＳと判定し、Ａｃｔ３７へと進む。プロセッサ３０１は、Ａｃｔ３７としてリーダ・ライタ３０６に対してディスエイブル信号を出力する。このディスエイブル信号により、リーダ・ライタ３０６は、その機能を停止する。
【００７３】
プロセッサ３０１は、Ａｃｔ３８として電子マネー決済処理を実行する。この処理は、電子マネーサーバ７０に対して第１ユーザＩＤと決済金額のデータを送信する処理と、レシートデータを生成し、電子レシートサーバ８０に対して送信する処理とを含む。
【００７４】
電子マネー決済処理を終えると、プロセッサ３０１は、Ａｃｔ３９として出口扉３１３の開動作を制御する。この制御により、Ｉ／Ｏポート３０８から出口扉３１３に対して開信号が出力される。その結果、出口扉３１３は、図３の矢印３１３Ｂの方向に回転して、退出路を開放する。したがって、通路１７内の利用客は、電子マネーによる決済処理を終えると、出口１６へと退出できるようになる。
【００７５】
プロセッサ３０１は、Ａｃｔ４０として退出路から利用客が退出したか否かを確認する。通路センサ３１１がオンであり利用客の退出を確認できない場合、プロセッサ３０１は、Ａｃｔ４０においてＮＯと判定し、Ａｃｔ４０へと戻る。すなわちプロセッサ３０１は、退出路から利用客が退出するのを待ち続ける。
【００７６】
通路センサ３１１の検知信号がオンからオフに変化し、続いて出口センサ３１０の検知信号がオンからオフに変化すると、プロセッサ３０１は、退出路から利用客が退出したと判定する。このときプロセッサ３０１は、Ａｃｔ４０においてＹＥＳと判定し、Ａｃｔ２へと戻る。プロセッサ３０１は、Ａｃｔ２として入口扉３１２の開動作と出口扉３１３の閉動作とを制御する。以後、プロセッサ３０１は、Ａｃｔ３以降の処理を上述したのと同様に実行する。
【００７７】
さてプロセッサ３０１は、Ａｃｔ２３またはＡｃｔ２４の処理を終えるか、Ａｃｔ３３において中止ボタンが操作されたことを確認し、ＹＥＳと判定すると、図９のＡｃｔ４１へと進む。プロセッサ３０１は、Ａｃｔ４１としてカウント値ｎが“０”よりも大きいか否かを確認する。カウント値ｎが“０”よりも大きい、すなわち“１”以上の場合には、プロセッサ３０１は、Ａｃｔ４１においてＹＥＳと判定し、Ａｃｔ４２へと進む。プロセッサ３０１は、Ａｃｔ４１として取消処理を実行する。取消処理は、Ａｃｔ１２の商品登録処理で登録された商品の販売データを取り消す処理である。
【００７８】
取消処理を終えると、プロセッサ３０１は、Ａｃｔ４３へと進む。一方、カウント値ｎが“０”の場合には、プロセッサ３０１は、Ａｃｔ４１においてＮＯと判定し、Ａｃｔ４２の処理をスキップして、Ａｃｔ４３へと進む。したがって、Ａｃｔ１２の商品登録処理を経ることなくＡｃｔ４１へと至った場合には、取消処理はスキップされる。商品登録処理を経た後でＡｃｔ４１へと至った場合には、取消処理は実行される。
【００７９】
プロセッサ３０１は、Ａｃｔ４３として入口扉３１２が開状態であるか否かを確認する。例えばプロセッサ３０１は、入口扉３１２の閉動作を制御したときと開動作を制御したときとで値が変化するステータスを有している。プロセッサ３０１は、このステータスの値によって入口扉３１２が閉状態であるか否かを確認する。
【００８０】
入口扉３１２が閉状態である場合、プロセッサ３０１は、Ａｃｔ４３においてＹＥＳと判定し、Ａｃｔ４４へと進む。プロセッサ３０１は、Ａｃｔ４４として入口扉３１２の開動作を制御する。この制御により、Ｉ／Ｏポート３０８から入口扉３１２に対して開信号が出力される。その結果、入口扉３１２は、図３の矢印３１２Ｂの方向に回転して、進入路を開放する。また、プロセッサ３０１は、Ａｃｔ４５としてリーダ・ライタ３０６に対してディスエイブル信号を出力する。このディスエイブル信号により、リーダ・ライタ３０６は、その機能を停止する。その後、プロセッサ３０１は、Ａｃｔ４６へと進む。
【００８１】
一方、入口扉３１２が開状態であった場合には、プロセッサ３０１は、Ａｃｔ４３においてＮＯと判定し、Ａｃｔ４４及びＡｃｔ４５の処理をスキップして、Ａｃｔ４６へと進む。したがって、Ａｃｔ１４において入口扉３１２が閉動作することなくＡｃｔ４３へと至った場合には、Ａｃｔ４４及びＡｃｔ４５の処理はスキップされる。Ａｃｔ１４において入口扉３１２が閉動作した後でＡｃｔ４３へと至った場合には、Ａｃｔ４４及びＡｃｔ４５の処理が実行される。
【００８２】
プロセッサ３０１は、Ａｃｔ４６として進入路から利用客が退出したか否かを確認する。通路センサ３１１がオンであり利用客の退出を確認できない場合、プロセッサ３０１は、Ａｃｔ４６においてＮＯと判定し、Ａｃｔ４６へと戻る。したがって、プロセッサ３０１は、Ａｃｔ４６により、利用客が進入路から会計場１４へと退出するのを待ち続ける。
【００８３】
通路センサ３１１がオンからオフに変化し、続いて入口センサ３０９がオンからオフに変化すると、プロセッサ３０１は、利用客が進入路から会計場１４へと退出したと判定する。このときプロセッサ３０１は、Ａｃｔ４６においてＹＥＳと判定し、Ａｃｔ３へと戻る。以後、プロセッサ３０１は、Ａｃｔ３以降の処理を上述したのと同様に実行する。
【００８４】
ここに、プロセッサ３０１を主体とするスルー式ＰＯＳ端末３０のコンピュータは、Ａｃｔ３８の処理を実行することにより、処理手段として機能する。また当該コンピュータは、Ａｃｔ４、Ａｃｔ１５〜Ａｃｔ１７、Ａｃｔ３１、Ａｃｔ３２及びＡｃｔ３４の処理を実行することにより、強制手段として機能する。また当該コンピュータは、Ａｃｔ２、Ａｃｔ１４、Ａｃｔ３９、Ａｃｔ４４の処理を実行することにより制御手段として機能する。
【００８５】
スルー式ＰＯＳ端末３０は、以上の如く動作する。したがって、電子レシートの利用客であり電子マネーで決済をする客は、少品目しか購入しない場合に、スルー式ＰＯＳ端末３０を利用してセルフにより購入商品の会計を行うことができる。具体的には、規定点数Ｎが“１”であった場合には、客は、商品を１点のみ購入する場合に、スルー式ＰＯＳ端末３０を利用して会計を行うことができる。規定点数Ｎが“２”であった場合には、客は、商品を２点まで購入する場合に、スルー式ＰＯＳ端末３０を利用して会計を行うことができる。
【００８６】
スルー式ＰＯＳ端末３０を利用する客は、会計場１４から通路１７へと進入し、購入商品のコードシンボルを読取窓３０５Ａに翳す。このとき、購入商品が購入可能な商品であると、スルー式ＰＯＳ端末３０では商品登録処理が実行される。また、入口扉３１２が閉動作する。したがって、次の客が通路１７に進入することはできない。
【００８７】
ここで、規定点数Ｎが“１”であった場合には、電子マネーによる決済を行うように指示するメッセージがタッチパネル３０７に表示される。また、スキャナ３０５の機能が停止する。その結果、スルー式ＰＯＳ端末３０においては、電子マネーによる決済が強制される。このとき、２点目の購入商品がある客は、中止ボタンを操作する。そうすると、入口扉３１２が開動作するので、客は進入路から会計場１４へと戻ることができる。
【００８８】
一方、規定点数Ｎが“２”であった場合には、上記のメッセージは表示されない。また、スキャナ３０５の機能も停止しない。したがって、客は２点目の購入商品のコードシンボルを読取窓３０５Ａに翳すことができる。このとき、２点目の購入商品も購入可能な商品であると、スルー式ＰＯＳ端末３０では商品登録処理が実行される。そして電子マネーによる決済を行うように指示するメッセージがタッチパネル３０７に表示される。また、スキャナ３０５の機能が停止する。その結果、スルー式ＰＯＳ端末３０においては、電子マネーによる決済が強制される。
【００８９】
購入商品の登録を終えた客は、電子マネーの記録媒体をアンテナ３０６Ａに翳す。そうすると、リーダ・ライタ３０６が記録媒体から電子マネーのデータを読み取る。そして、電子マネー残高が購入商品の決済金額以上ある場合、スルー式ＰＯＳ端末３０においては、電子マネーによる決済処理が実行される。また、電子レシートデータが電子レシートサーバ８０に送信される。電子レシートデータは、電子マネーの記録媒体に記録されていた第１ユーザＩＤと連携するように連携サーバ９０に設定されている第２ユーザＩＤが関連付けられて電子レシートサーバ８０の記憶装置で記憶される。したがって客は、スマートフォン、タブレット端末等を利用して電子レシートサーバ８０にアクセスすることにより、電子レシートデータの内容を閲覧することができる。
【００９０】
さて、電子マネーの決済処理が終わると、出口扉３１３が開動作する。したがって、決済を終えた客は、退出路から出口１６を通って店外へ退出することができる。
【００９１】
このように、規定点数Ｎ以内の商品を購入する客は、先ず、読取窓３０５Ａに購入商品のコードシンボルを翳し、続いてアンテナ３０６Ａに電子マネーの記録媒体を翳す。以上の操作を行うことにより、客は、スルー式ＰＯＳ端末３０を利用して購入商品の会計を済ませることができる。このとき、客は、商品の袋詰めを行わない。また客は、レシートを受け取らない。したがって客は、通路１７上で殆ど立ち止まることなく購入商品の会計を済ませることができる。その結果、会計に要する処理時間を大幅に短縮することができる。ひいては、規定点数Ｎ以内の商品を購入する客の多くはスルー式ＰＯＳ端末３０を利用するようになるので、会計業務の混雑緩和を図ることができる。
【００９２】
なお、購入商品が登録不能な商品として設定されていた場合には、スルー式ＰＯＳ端末３０で会計を行うことができない。このような場合には、登録不能を通知するメッセージがタッチパネル３０７に表示されるとともに、入口扉３１２が開動作する。したがって客は、進入路から会計場１４へと戻ることができる。
【００９３】
また、通路１７に進入したが、購入商品が規定点数Ｎよりも多い客、あるいは電子マネー決済を行えない客も、スルー式ＰＯＳ端末３０で会計を行うことができない。電子マネー残高が不足していた客も同様である。このような場合、客は、タッチパネル３０７に表示されている中止ボタンにタッチする。そうすると、入口扉３１２が開動作するので、客は、進入路から会計場１４へと戻ることができる。このとき、スルー式ＰＯＳ端末３０においては取消処理が実行されるので、登録された商品の販売データは取り消される。したがって、ストアサーバ４０において実行される各商品の売上、在庫等の管理データに影響を及ぼすことはない。
【００９４】
［第２の実施形態］
次に、第２の実施形態について、図１０乃至図１３を用いて説明する。なお、第１の実施形態のスルー式ＰＯＳ端末３０と区別するために、第２の実施形態のスルー式ＰＯＳ端末の符号を３０Ａで表わす。
【００９５】
図１０は、スルー式ＰＯＳ端末３０Ａの外観構成を示す模式図である。スルー式ＰＯＳ端末３０Ａは、スルー式ＰＯＳ端末３０と比較して、読取窓３０５Ａとアンテナ３０６Ａとの配置位置が異なる。すなわち、スルー式ＰＯＳ端末３０Ａにおいては、筐体３００における上面３００Ａの会計場１４に近い側にリーダ・ライタ３０６のアンテナ３０６Ａが設けられている。筐体３００における上面３００Ａの略中央にスキャナ３０５の読取窓３０５Ａが設けられている。
【００９６】
図１１乃至図１３は、スルー式ＰＯＳ端末３０Ａのプロセッサ３０１が、メインプログラムに従って実行する主要な情報処理の手順を示す流れ図である。以下、これらの流れ図を用いて、スルー式ＰＯＳ端末３０Ａの動作を説明する。なお、第１の実施形態でも実施されている動作については、詳細な説明は省略する。以下に説明する動作は一例である。同様な結果を得ることが可能であればその動作の手順及び内容は特に限定されるものではない。
【００９７】
スルー式ＰＯＳ端末３０Ａの電源が投入され、メインプログラムが起動すると、プロセッサ３０１は、Ａｃｔ５１としてスキャナ３０５とリーダ・ライタ３０６に対してそれぞれディスエイブル信号を出力する。またプロセッサ３０１は、Ａｃｔ５２として入口扉３１２の開動作と出口扉３１３の閉動作とを制御する。Ａｃｔ５１及びＡｃｔ５２により、スキャナ３０５及びリーダ・ライタ３０６は、その機能を停止する。入口扉３１２は進入路を開放し、出口扉３１３は退出路を閉塞する。
【００９８】
プロセッサ３０１は、Ａｃｔ５３として進入路から利用客が進入するのを待ち続ける。入口センサ３０９の検知信号がオフからオンに変化し、続いて通路センサ３１１の検知信号がオフからオンに変化すると、プロセッサ３０１は、進入路から利用客が進入したと判定する。このときプロセッサ３０１は、Ａｃｔ５３においてＹＥＳと判定し、Ａｃｔ５４へと進む。プロセッサ３０１は、Ａｃｔ５４としてリーダ・ライタ３０６にイネーブル信号を出力する。このイネーブル信号によりリーダ・ライタ３０６はその機能を有効にする。
【００９９】
プロセッサ３０１は、Ａｃｔ５５としてリーダ・ライタ３０６により電子マネーのデータが読み取られたか否かを確認する。電子マネーのデータが読み取られていない場合、プロセッサ３０１は、Ａｃｔ５５においてＮＯと判定し、Ａｃｔ５６へと進む。プロセッサ３０１は、Ａｃｔ５６として進入路から利用客が退出したか否かを確認する。通路センサ３１１がオンであり利用客の退出を確認できない場合、プロセッサ３０１は、Ａｃｔ５６においてＮＯと判定し、Ａｃｔ５５へと戻る。したがって、プロセッサ３０１は、Ａｃｔ５５及びＡｃｔ５６により、電子マネーのデータが読み取られるか利用客が進入路から退出するのを待ち受ける。
【０１００】
Ａｃｔ５５及びＡｃｔ５６の待ち受け状態において、通路センサ３１１がオンからオフに変化し、続いて入口センサ３０９がオンからオフに変化すると、プロセッサ３０１は、利用客が進入路から退出したことを確認する。利用客が進入路から退出すると、プロセッサ３０１は、Ａｃｔ５６においてＹＥＳと判定し、Ａｃｔ５７へと進む。プロセッサ３０１は、Ａｃｔ５７としてリーダ・ライタ３０６に対してディスエイブル信号を出力する。このディスエイブル信号により、リーダ・ライタ３０６は、その機能を停止する。
【０１０１】
リーダ・ライタ３０６に対してディスエイブル信号を出力したプロセッサ３０１は、Ａｃｔ５３へと戻る。すなわちプロセッサ３０１は、再び進入路から利用客が進入するのを待ち続ける。
【０１０２】
Ａｃｔ５５及びＡｃｔ５６の待ち受け状態において、リーダ・ライタ３０６により電子マネーのデータが読み取られると、プロセッサ３０１は、Ａｃｔ５５においてＹＥＳと判定し、図１２のＡｃｔ６１へと進む。プロセッサ３０１は、Ａｃｔ６１としてリーダ・ライタ３０６で読み取られた電子マネーの残高Ｍを取得する。すなわちプロセッサ３０１は、電子マネーのデータに含まれる第１ユーザＩＤに関連付けられて管理されている電子マネー残高Ｍを電子マネーサーバ７０から取得する。
【０１０３】
電子マネーの残高Ｍを取得し得ると、プロセッサ３０１は、Ａｃｔ６２としてリーダ・ライタ３０６に対してディスエイブル信号を出力する。このディスエイブル信号により、リーダ・ライタ３０６は、その機能を停止する。またプロセッサ３０１は、Ａｃｔ６３として入口扉３１２の閉動作を制御する。この制御により、入口扉３１２は進入路を閉塞する。
【０１０４】
プロセッサ３０１は、Ａｃｔ６４としてカウンタエリア３１のカウント値ｎを“０”にリセットする。またプロセッサ３０１は、Ａｃｔ６５としてスキャナ３０５に対してイネーブル信号を出力する。このイネーブル信号により、スキャナ３０５は、その機能を有効にする。そしてプロセッサ３０１は、Ａｃｔ６６として商品スキャンの有無を確認する。商品スキャンが無い場合、プロセッサ３０１は、Ａｃｔ６７として中止ボタンが操作されたか否かを確認する。中止ボタンが操作されていない場合、プロセッサ３０１は、Ａｃｔ６７においてＮＯと判定し、Ａｃｔ６６へと戻る。したがって、プロセッサ３０１は、Ａｃｔ６６及びＡｃｔ６７により、商品スキャンが行われるか中止ボタンが操作されるのを待ち受ける。
【０１０５】
Ａｃｔ６６及びＡｃｔ６７の待ち受け状態において、中止ボタンが操作されると、プロセッサ３０１は、Ａｃｔ６７においてＹＥＳと判定し、Ａｃｔ６８へと進む。プロセッサ３０１は、Ａｃｔ６８としてスキャナ３０５に対してディスエイブル信号を出力する。このディスエイブル信号により、スキャナ３０５は、その機能を停止する。
【０１０６】
プロセッサ３０１は、Ａｃｔ６９として入口扉３１２の開動作を制御する。この制御により、入口扉３１２は、進入路を開放する。プロセッサ３０１は、Ａｃｔ７０として利用客が進入路から退出するのを待ち続ける。そして、利用客が進入路から会計場１４へと退出すると、プロセッサ３０１は、Ａｃｔ７０においてＹＥＳと判定し、Ａｃｔ５３へと戻る。以後、プロセッサ３０１は、Ａｃｔ５３以降の処理を上述したのと同様に実行する。
【０１０７】
Ａｃｔ６６及びＡｃｔ６７の待ち受け状態において、商品スキャンが行われると、プロセッサ３０１は、Ａｃｔ６６においてＹＥＳと判定し、図１３のＡｃｔ７１へと進む。プロセッサ３０１は、Ａｃｔ７１としてスキャナ３０５で読み取られたコードシンボルからそのコードシンボルが付されている商品を特定する。そしてプロセッサ３０１は、その商品がスルー式ＰＯＳ端末３０Ａにおいて登録が可能な商品であるか否かを確認する。
【０１０８】
登録が可能な場合、プロセッサ３０１は、Ａｃｔ７１においてＹＥＳと判定し、Ａｃｔ７２へと進む。プロセッサ３０１は、Ａｃｔ７２として、電子マネーによる決済が可能か否かを確認する。すなわちプロセッサ３０１は、電子マネーの残高Ｍが、Ａｃｔ６６の処理でスキャンされた商品の価格以上あるか否かを確認する。
【０１０９】
電子マネーの残高Ｍが商品の価格に満たない場合、プロセッサ３０１は、電子マネーによる決済が不能と判定する。このときプロセッサ３０１は、Ａｃｔ７２においてＮＯと判定し、Ａｃｔ８１へと進む。一方、商品が登録不能な場合にも、プロセッサ３０１は、Ａｃｔ７１においてＮＯと判定し、Ａｃｔ８１へと進む。Ａｃｔ８１では、プロセッサ３０１は、商品の登録不可を通知するメッセージをタッチパネル３０７に表示させる。
【０１１０】
その後、プロセッサ３０１は、Ａｃｔ８２としてカウント値ｎが“０”よりも大きいか否かを確認する。カウント値ｎが“０”よりも大きい、すなわち“１”以上の場合には、プロセッサ３０１は、Ａｃｔ８２においてＹＥＳと判定し、Ａｃｔ８３へと進む。プロセッサ３０１は、Ａｃｔ８３として取消処理を実行する。
【０１１１】
取消処理を終えると、プロセッサ３０１は、Ａｃｔ６８へと戻る。一方、カウント値ｎが“０”の場合には、プロセッサ３０１は、Ａｃｔ８２においてＮＯと判定し、Ａｃｔ８３の処理をスキップして、Ａｃｔ６８へと戻る。すなわちプロセッサ３０１は、スキャナ３０５に対してディスエイブル信号を出力する。プロセッサ３０１は、入口扉３１２の開動作を制御する。プロセッサ３０１は、利用客が進入路から退出するのを待ち続ける。利用客が進入路から会計場１４へと退出すると、プロセッサ３０１は、Ａｃｔ５３の処理へと戻る。
【０１１２】
一方、登録可能かつ決済可能な場合には、プロセッサ３０１は、Ａｃｔ７２においてＹＥＳと判定し、Ａｃｔ７３へと進む。プロセッサ３０１は、Ａｃｔ７３として商品登録処理を実行する。そして、商品登録処理を終えると、プロセッサ３０１は、Ａｃｔ７４として電子マネーの残高Ｍを、登録商品の価格を減額した金額に更新する。
【０１１３】
プロセッサ３０１は、Ａｃｔ７５としてカウント値ｎを“１”だけカウントアップする。プロセッサ３０１は、Ａｃｔ７６としてカウント値ｎが規定点数Ｎに達したか否かを確認する。カウント値ｎが規定点数Ｎに達していない場合、プロセッサ３０１は、Ａｃｔ７６においてＮＯと判定し、Ａｃｔ７７へと進む。プロセッサ３０１は、Ａｃｔ７７として会計ボタンが操作されたか否かを確認する。会計ボタンは、タッチパネル３０７の画面３０７Ａに表示されている。会計ボタンが操作されていない場合、プロセッサ３０１は、Ａｃｔ７７においてＮＯと判定し、Ａｃｔ７８へと進む。プロセッサ３０１は、Ａｃｔ７８として商品スキャンの有無を確認する。商品スキャンが無い場合、プロセッサ３０１は、Ａｃｔ７８においてＮＯと判定し、Ａｃｔ７９へと進む。プロセッサ３０１は、Ａｃｔ７９として中止ボタンが操作されたか否かを確認する。中止ボタンが操作されていない場合、プロセッサ３０１は、Ａｃｔ７９においてＮＯと判定し、Ａｃｔ７７へと戻る。したがってプロセッサ３０１は、Ａｃｔ７７乃至Ａｃｔ７９により、会計ボタンが操作されるか、商品スキャンが行われるか、中止ボタンが操作されるのを待ち受ける。
【０１１４】
Ａｃｔ７７乃至Ａｃｔ７９の待ち受け状態において、商品スキャンが行われたことを確認すると、プロセッサ３０１は、Ａｃｔ７８においてＹＥＳと判定し、Ａｃｔ７１へと戻る。以後、プロセッサ３０１は、Ａｃｔ７１以降の処理を再び実行する。
【０１１５】
Ａｃｔ７７乃至Ａｃｔ７９の待ち受け状態において、中止ボタンが操作された場合には、プロセッサ３０１は、Ａｃｔ７９においてＹＥＳと判定し、Ａｃｔ８０へと進む。プロセッサ３０１は、Ａｃｔ８０として取消処理を実行する。取消処理を終えると、プロセッサ３０１は、Ａｃｔ６８へと戻る。以後、プロセッサ３０１は、Ａｃｔ６８以降の処理を上述したのと同様に実行する。
【０１１６】
Ａｃｔ７７乃至Ａｃｔ７９の待ち受け状態において、会計ボタンが操作された場合には、プロセッサ３０１は、Ａｃｔ７７においてＹＥＳと判定し、Ａｃｔ８４へと進む。一方、カウント値ｎが規定点数Ｎに達した場合にも、プロセッサ３０１は、Ａｃｔ７６においてＹＥＳと判定し、Ａｃｔ８４へと進む。プロセッサ３０１は、Ａｃｔ８４としてスキャナ３０５に対してディスエイブル信号を出力する。このディスエイブル信号により、スキャナ３０５は、その機能を停止する。またプロセッサ３０１は、Ａｃｔ８５として電子マネー決済処理を実行する。
【０１１７】
電子マネー決済処理を終えると、プロセッサ３０１は、Ａｃｔ８６として出口扉３１３の開動作を制御する。この制御により、出口扉３１３は、退出路を開放する。プロセッサ３０１は、Ａｃｔ８７として退出路から利用客が退出するのを待ち続ける。退出路から出口１６へと利用客が退出したならば、プロセッサ３０１は、Ａｃｔ８７においてＹＥＳと判定し、Ａｃｔ５２へと戻る。プロセッサ３０１は、Ａｃｔ５２として入口扉３１２の開動作と出口扉３１３の閉動作とを制御する。以後、プロセッサ３０１は、Ａｃｔ５３以降の処理を上述したのと同様に実行する。
【０１１８】
ここに、プロセッサ３０１を主体とするスルー式ＰＯＳ端末３０Ａのコンピュータは、Ａｃｔ８５の処理を実行することにより、処理手段として機能する。また当該コンピュータは、Ａｃｔ５４、Ａｃｔ６４、Ａｃｔ７５、Ａｃｔ７６、Ａｃｔ８４の処理を実行することにより、強制手段として機能する。また当該コンピュータは、Ａｃｔ５２、Ａｃｔ６３、Ａｃｔ６９、Ａｃｔ８６の処理を実行することにより制御手段として機能する。
【０１１９】
スルー式ＰＯＳ端末３０Ａは、以上の如く動作する。したがって、スルー式ＰＯＳ端末３０Ａを利用する客は、会計場１４から通路１７に入り、電子マネーの記録媒体をアンテナ３０６Ａに翳す。そうすると、スルー式ＰＯＳ端末３０Ａにおいて、この電子マネーの残高Ｍが取得される。
【０１２０】
続いて客は、購入商品のコードシンボルを読取窓３０５Ａに翳す。このとき、購入商品が登録可能な商品であると、スルー式ＰＯＳ端末３０では、その商品の価格と電子マネー残高Ｍとが比較される。ここで、電子マネー残高Ｍが商品の価格以上ある場合には、商品登録処理が実行される。そして電子マネー残高Ｍがその商品の価格分減額される。
【０１２１】
ここで、規定点数Ｎが“１”であった場合には、電子マネーによる決済が強制される。この場合、既に電子マネーのデータが読み取られているので、自動的に電子マネー決済処理が実行される。
【０１２２】
一方、規定点数Ｎが“２”であった場合には、２点目の商品登録が可能となる。ここで、客が２点目の商品のコードシンボルを読取窓３０５Ａに翳したならば、１点目と同様に商品の価格と電子マネー残高Ｍとが比較される。このときの電子マネー残高Ｍは、１点目の商品の価格が減額された後の金額である。電子マネー残高Ｍが商品の価格以上ある場合には、商品登録処理が実行される。その後、電子マネーによる決済が強制される。この場合も、既に電子マネーのデータが読み取られているので、自動的に電子マネー決済処理が実行される。
【０１２３】
規定点数Ｎが“２”の場合において、商品を１品しか購入しない客は、その商品が登録されたのを確認した後、会計ボタンを操作する。そうすると、スルー式ＰＯＳ端末３０Ａにおいては、電子マネー決済処理が実行される。
【０１２４】
こうして、電子マネー決済処理が実行されると、出口扉３１３が開動作する。したがって、決済を終えた客は、出口１６から店外へ退出することができる。
【０１２５】
このように第２の実施形態においても、第１の実施形態と同様に、規定点数Ｎ以内の商品を購入する客は、スルー式ＰＯＳ端末３０Ａを利用することで、通路１７上で殆ど立ち止まることなく購入商品の会計を済ませることができる。したがって、第１の実施形態と同様の作用効果を奏することができる。
【０１２６】
［第３の実施形態］
次に、第３の実施形態について、図１４乃至図１８を用いて説明する。  
第３の実施形態は、対面式ＰＯＳ端末において、袋詰めなしにスムーズにセルフ会計方式で会計を済ませることができる会計装置としての機能を実現させるものである。以下、第３の実施形態における対面式ＰＯＳ端末を符号２０Ａで表わす。
【０１２７】
図１４は、対面式ＰＯＳ端末２０Ａの要部回路構成を示すブロック図である。対面式ＰＯＳ端末２０Ａは、プロセッサ２０１、メインメモリ２０２、補助記憶デバイス２０３、通信インターフェース２０４、スキャナ２０５、リーダ・ライタ２０６、タッチパネル２０７、プリンタ２０８、Ｉ／Ｏポート２０９、人感センサ２１０及びシステム伝送路２１１を備える。システム伝送路２１１は、アドレスバス、データバス、制御信号線等を含む。対面式ＰＯＳ端末２０Ａでは、システム伝送路２１１に、プロセッサ２０１、メインメモリ２０２、補助記憶デバイス２０３、通信インターフェース２０４、スキャナ２０５、リーダ・ライタ２０６、タッチパネル２０７、プリンタ２０８及びＩ／Ｏポート２０９を接続する。対面式ＰＯＳ端末２０Ａでは、プロセッサ２０１、メインメモリ２０２及び補助記憶デバイス２０３と、これらを接続するシステム伝送路２１１とによってコンピュータを構成する。
【０１２８】
プロセッサ２０１、メインメモリ２０２、補助記憶デバイス２０３、通信インターフェース２０４、スキャナ２０５、リーダ・ライタ２０６及びタッチパネル２０７は、スルー式ＰＯＳ端末３０のプロセッサ３０１、メインメモリ３０２、補助記憶デバイス３０３、通信インターフェース３０４、スキャナ３０５、リーダ・ライタ３０６及びタッチパネル３０７と同様の機能を有するものである。したがって、ここでの詳細な説明は省略する。
【０１２９】
プリンタ２０８は、レシート用紙にレシートデータを印字し、レシート発行口からレシートを発行する。Ｉ／Ｏポート２０９は、人感センサ２１０からセンシング信号を入力する。人感センサ２１０は、例えば赤外線を利用した熱センサであってもよいし、光の反射を利用した光センサであってもよい。
【０１３０】
図１５は、対面式ＰＯＳ端末２０Ａの外観構成を示す模式図である。図１５に示すように、対面式ＰＯＳ端末２０Ａは、筐体２００の正面に、スキャナ２０５の読取窓２０５Ａと、プリンタ２０８のレシート発行口２０８Ａと、人感センサ２１０とを配置している。また、筐体の上部に、タッチパネル２０７を取り付けている。タッチパネル２０７は、画面２０７Ａが正面を向くように、筐体２００に取り付けられている。さらに、筐体２００の一側部に、リーダ・ライタ２０６を設けている。かかる構成の対面式ＰＯＳ端末２０Ａは、正面を客側に向けて、例えば会計用カウンタ１３上の出入口１５の近傍に設置される。
【０１３１】
図１６乃至図１８は、対面式ＰＯＳ端末２０Ａのプロセッサ２０１が、メインプログラムに従って実行する主要な情報処理の手順を示す流れ図である。以下、これらの流れ図を用いて、対面式ＰＯＳ端末２０Ａの動作を説明する。なお、第１の実施形態でも実施されている動作については、詳細な説明は省略する。以下に説明する動作は一例である。同様な結果を得ることが可能であればその動作の手順及び内容は特に限定されるものではない。
【０１３２】
対面式ＰＯＳ端末２０Ａの電源が投入され、メインプログラムが起動すると、プロセッサ２０１は、Ａｃｔ１０１としてスキャナ２０５及びリーダ・ライタ２０６に対してそれぞれディスエイブル信号を出力する。このディスエイブル信号により、スキャナ２０５及びリーダ・ライタ２０６は、いずれもその機能を停止する。
【０１３３】
プロセッサ２０１は、Ａｃｔ１０２として人感センサ２１０がオンしたか否かを確認する。人感センサ２１０がオンしていない場合、プロセッサ２０１は、Ａｃｔ１０２においてＮＯと判定し、Ａｃｔ１０２へと戻る。したがってプロセッサ２０１は、人感センサ２１０がオンするのを待ち続ける。
【０１３４】
筐体２００の正面に利用客が立つことで人感センサ２１０がオンすると、プロセッサ２０１は、Ａｃｔ１０２においてＹＥＳと判定し、Ａｃｔ１０３へと進む。プロセッサ２０１は、Ａｃｔ１０３としてカウンタエリア３１のカウント値ｎを“０”にリセットする。
【０１３５】
プロセッサ２０１は、Ａｃｔ１０４としてスキャナ２０５に対してイネーブル信号を出力する。このイネーブル信号により、スキャナ２０５は、その機能を有効にする。したがって、筐体２００の正面に立った利用客が、商品に付されたコードシンボルを読取窓２０５Ａに翳すと、スキャナ２０５は、そのコードシンボルを読み取る。
【０１３６】
プロセッサ２０１は、Ａｃｔ１０５として商品スキャンの有無を確認する。商品スキャンが無い場合、プロセッサ２０１は、Ａｃｔ１０６として人感センサ２１０がオフしたか否かを確認する。人感センサ２１０がオフしていない場合、プロセッサ２０１は、Ａｃｔ１０６においてＹＥＳと判定し、Ａｃｔ１０５へと戻る。したがって、プロセッサ２０１は、Ａｃｔ１０５及びＡｃｔ１０６により、商品スキャンが行われるか人感センサ２１０がオフするのを待ち受ける。
【０１３７】
筐体２００の正面に立った利用客がその場所から離れると、人感センサ２１０はオフする。Ａｃｔ１０５及びＡｃｔ１０６の待ち受け状態において、人感センサ２１０がオフしたことを確認すると、プロセッサ２０１は、Ａｃｔ１０６においてＹＥＳと判定し、Ａｃｔ１０７へと進む。プロセッサ２０１は、Ａｃｔ１０７としてスキャナ２０５に対してディスエイブル信号を出力する。このディスエイブル信号により、スキャナ２０５は、その機能を停止する。
【０１３８】
スキャナ２０５に対してディスエイブル信号を出力したプロセッサ２０１は、Ａｃｔ１０２へと戻る。すなわちプロセッサ２０１は、再び人感センサ２１０がオンするのを待ち続ける。
【０１３９】
プロセッサ２０１は、Ａｃｔ１０５及びＡｃｔ１０６の待ち受け状態において、商品スキャンが有ると、Ａｃｔ１０５においてＹＥＳと判定し、図１７のＡｃｔ１１１へと進む。プロセッサ２０１は、Ａｃｔ１１１としてスキャナ２０５でコードシンボルが読み取られた商品が対面式ＰＯＳ端末２０Ａにおいて登録が可能な商品であるか否かを確認する。対面式ＰＯＳ端末２０Ａにおいても、スルー式ＰＯＳ端末３０又は３０Ａと同様に、対面式ＰＯＳ端末２０Ａでは会計を行えない商品のリストが補助記憶デバイス３０３に保存されている。
【０１４０】
登録が不能な場合、プロセッサ２０１は、Ａｃｔ１１１においてＮＯと判定し、Ａｃｔ１２１へと進む。プロセッサ２０１は、Ａｃｔ１２１としてスキャナ２０５に対してディスエイブル信号を出力する。またプロセッサ２０１は、Ａｃｔ１２２として商品の登録不可を通知するメッセージをタッチパネル３０７に表示させる。その後、プロセッサ２０１は、図１８のＡｃｔ１３６の処理へと進む。プロセッサ２０１は、Ａｃｔ１３６として決済不可を通知するメッセージをタッチパネル３０７に表示させる。そしてプロセッサ２０１は、Ａｃｔ１３３の処理へと進む。Ａｃｔ１３３以降の処理については後述する。
【０１４１】
一方、登録が可能な場合には、プロセッサ２０１は、Ａｃｔ１１１においてＹＥＳと判定し、Ａｃｔ１１２へと進む。プロセッサ２０１は、Ａｃｔ１１２として商品登録処理を実行する。商品登録処理を終えると、プロセッサ２０１は、Ａｃｔ１１３としてカウント値ｎを調べる。カウント値ｎが“０”の場合、プロセッサ２０１は、Ａｃｔ１１３においてＹＥＳと判定し、Ａｃｔ１１４へと進む。プロセッサ２０１は、Ａｃｔ１１４としてリーダ・ライタ２０６にイネーブル信号を出力する。このイネーブル信号によりリーダ・ライタ２０６はその機能を有効にする。したがって、筐体２００の前に立った利用客が電子マネーに係る記録媒体をリーダ・ライタ２０６に翳すと、リーダ・ライタ２０６によってその記録媒体に記録されている電子マネーのデータ、つまりは第１ユーザＩＤが非接触で読み取られる。
【０１４２】
Ａｃｔ１１４の処理を終えると、プロセッサ２０１は、Ａｃｔ１１５へと進む。一方、Ａｃｔ１１３においてカウント値ｎが“１”以上であった場合には、プロセッサ２０１は、Ａｃｔ１１３においてＮＯと判定し、Ａｃｔ１１４の処理をスキップして、Ａｃｔ１１５へと進む。
【０１４３】
プロセッサ２０１は、Ａｃｔ１１５としてカウント値ｎを“１”だけカウントアップする。プロセッサ２０１は、Ａｃｔ１１６としてカウント値ｎが規定点数Ｎに達したか否かを確認する。カウント値ｎが規定点数Ｎに達していない場合、プロセッサ２０１は、Ａｃｔ１１６においてＮＯと判定し、Ａｃｔ１１７へと進む。プロセッサ２０１は、Ａｃｔ１１７として商品スキャンの有無を確認する。商品スキャンが無い場合、プロセッサ２０１は、Ａｃｔ１１７においてＮＯと判定し、Ａｃｔ１１８へと進む。プロセッサ２０１は、Ａｃｔ１１８として中止ボタンが操作されたか否かを確認する。中止ボタンは、タッチパネル２０７の画面２０７Ａに表示されている。中止ボタンが操作されていない場合、プロセッサ２０１は、Ａｃｔ１１８においてＮＯと判定し、Ａｃｔ１１９へと進む。プロセッサ２０１は、Ａｃｔ１１９としてリーダ・ライタ２０６により電子マネーのデータが読み取られたか否かを確認する。電子マネーのデータが読み取られていない場合、プロセッサ２０１は、Ａｃｔ１１９においてＮＯと判定し、Ａｃｔ１１７へと戻る。したがってプロセッサ２０１は、Ａｃｔ１１７乃至Ａｃｔ１１９により、商品スキャンが行われるか、中止ボタンが操作されるか、電子マネーのデータが読み取られるのを待ち受ける。
【０１４４】
Ａｃｔ１１７乃至Ａｃｔ１１９の待ち受け状態において、商品スキャンが行われたことを確認すると、プロセッサ２０１は、Ａｃｔ１１７においてＹＥＳと判定し、Ａｃｔ１１１へと戻る。以後、プロセッサ２０１は、Ａｃｔ１１１以降の処理を再び実行する。
【０１４５】
Ａｃｔ１１７乃至Ａｃｔ１１９の待ち受け状態において、中止ボタンが操作された場合には、プロセッサ２０１は、Ａｃｔ１１８においてＹＥＳと判定し、Ａｃｔ１２３へと進む。プロセッサ２０１は、Ａｃｔ１２３としてスキャナ２０５に対してディスエイブル信号を出力する。このディスエイブル信号により、スキャナ２０５は、その機能を停止する。その後、プロセッサ２０１は、図１８のＡｃｔ１３６の処理へと進む。プロセッサ２０１は、Ａｃｔ１３６として決済不可を通知するメッセージをタッチパネル３０７に表示させる。そしてプロセッサ２０１は、Ａｃｔ１３３の処理へと進む。Ａｃｔ１３３以降の処理については後述する。
【０１４６】
Ａｃｔ１１７乃至Ａｃｔ１１９の待ち受け状態において、リーダ・ライタ２０６により電子マネーのデータが読み取られた場合、プロセッサ２０１は、Ａｃｔ１１９においてＹＥＳと判定し、Ａｃｔ１２０へと進む。プロセッサ２０１は、Ａｃｔ１２０としてスキャナ２０５に対してディスエイブル信号を出力する。このディスエイブル信号により、スキャナ２０５は、その機能を停止する。その後、プロセッサ２０１は、図１８のＡｃｔ１３５の処理へと進む。Ａｃｔ１３５以降の処理については後述する。
【０１４７】
カウント値ｎが規定点数Ｎに達した場合には、プロセッサ２０１は、Ａｃｔ１１６においてＹＥＳと判定し、図１８のＡｃｔ１３１へと進む。プロセッサ２０１は、Ａｃｔ１３１としてスキャナ２０５に対してディスエイブル信号を出力する。このディスエイブル信号により、スキャナ２０５は、その機能を停止する。またプロセッサ２０１は、Ａｃｔ１３２として電子マネーによる決済を行うように指示するメッセージをタッチパネル３０７に表示させる。その後、プロセッサ２０１は、Ａｃｔ１３３へと進む。すなわち、Ａｃｔ１３２において電子マネーによる決済を行うように指示するメッセージをタッチパネル３０７に表示させるか、Ａｃｔ１３６において決済不可を通知するメッセージをタッチパネル３０７に表示させた後、プロセッサ２０１は、Ａｃｔ１３３へと進む。
【０１４８】
プロセッサ２０１は、Ａｃｔ１３３として中止ボタンが操作されたか否かを確認する。中止ボタンが操作されていない場合、プロセッサ２０１は、Ａｃｔ１３３においてＮＯと判定し、Ａｃｔ１３４へと進む。プロセッサ２０１は、Ａｃｔ１３４としてリーダ・ライタ２０６により電子マネーのデータが読み取られたか否かを確認する。電子マネーのデータが読み取られていない場合、プロセッサ２０１は、Ａｃｔ１３４においてＮＯと判定し、Ａｃｔ１３３へと戻る。したがってプロセッサ２０１は、Ａｃｔ１３３及びＡｃｔ１３４により、中止ボタンが操作されるか、電子マネーのデータが読み取られるのを待ち受ける。
【０１４９】
Ａｃｔ１３３及びＡｃｔ１３４の待ち受け状態において、中止ボタンが操作された場合には、プロセッサ２０１は、Ａｃｔ１３３においてＹＥＳと判定し、Ａｃｔ１４１へと進む。プロセッサ３０１は、Ａｃｔ１４１としてカウント値ｎが“０”よりも大きいか否かを確認する。カウント値ｎが“０”よりも大きい、すなわち“１”以上の場合には、プロセッサ３０１は、Ａｃｔ１４１においてＹＥＳと判定し、Ａｃｔ１４２へと進む。プロセッサ３０１は、Ａｃｔ１４２として取消処理を実行する。
【０１５０】
取消処理を終えると、プロセッサ３０１は、Ａｃｔ１４３へと進む。一方、カウント値ｎが“０”の場合には、プロセッサ３０１は、Ａｃｔ１４１においてＮＯと判定し、Ａｃｔ１４２の処理をスキップして、Ａｃｔ１４３へと進む。プロセッサ２０１は、Ａｃｔ１４３としてリーダ・ライタ２０６に対してディスエイブル信号を出力する。また、プロセッサ２０１は、Ａｃｔ１４４として人感センサ２１０がオフしたか否かを確認する。人感センサ２１０がオフしていない場合、プロセッサ２０１は、Ａｃｔ１４４においてＮＯと判定し、Ａｃｔ１４４へと戻る。したがってプロセッサ２０１は、人感センサ２１０がオフするのを待ち続ける。
【０１５１】
人感センサ２１０がオフすると、プロセッサ２０１は、Ａｃｔ１４４においてＹＥＳと判定し、Ａｃｔ１０２へと戻る。すなわちプロセッサ２０１は、再び人感センサ２１０がオンするのを待ち続ける。
【０１５２】
Ａｃｔ１３３及びＡｃｔ１３４の待ち受け状態において、リーダ・ライタ２０６により電子マネーのデータが読み取られた場合、プロセッサ２０１は、Ａｃｔ１３４においてＹＥＳと判定し、Ａｃｔ１３５へと進む。このように、カウント値ｎが規定点数Ｎに達した後、リーダ・ライタ２０６で電子マネーのデータが読み取られた場合、あるいはカウント値ｎが規定点数Ｎに達する前にリーダ・ライタ２０６で電子マネーのデータが読み取られた場合、プロセッサ２０１は、Ａｃｔ１３５へと進む。
【０１５３】
プロセッサ２０１は、Ａｃｔ１３５として電子マネーによる決済が可能か否かを確認する。電子マネー決済が不可能な場合、プロセッサ２０１は、Ａｃｔ１３５においてＮＯと判定し、Ａｃｔ１３６へと進む。プロセッサ２０１は、Ａｃｔ１３６として決済不可を通知するメッセージをタッチパネル３０７に表示させる。その後、プロセッサ２０１は、Ａｃｔ１３３の処理へと戻る。すなわちプロセッサ２０１は、Ａｃｔ１３３及びＡｃｔ１３４の待ち受け状態に戻る。
【０１５４】
電子マネー残高が決済金額以上あり、電子マネー決済が可能である場合には、プロセッサ２０１は、Ａｃｔ１３５においてＹＥＳと判定し、Ａｃｔ１３７へと進む。プロセッサ２０１は、Ａｃｔ１３７としてリーダ・ライタ２０６に対してディスエイブル信号を出力する。このディスエイブル信号により、リーダ・ライタ２０６は、その機能を停止する。
【０１５５】
プロセッサ２０１は、Ａｃｔ１３８として電子マネー決済処理を実行する。電子マネー決済処理を終えると、プロセッサ２０１は、電子マネーの利用客が電子レシートの利用客であるか否かを確認する。電子マネーに係る記録媒体から読み取られた電子マネーの第１ユーザＩＤが、連携サーバ９０において第２ユーザＩＤと連携されている場合、プロセッサ２０１は、電子マネーの利用客が電子レシートの利用客であると認識する。電子マネーの第１ユーザＩＤが第２ユーザＩＤと連携されていない場合には、プロセッサ２０１は、電子マネーの利用客が電子レシートの利用客でないと認識する。連携が図られているか否かは、連携サーバ９０へと問合せにより確認できる。
【０１５６】
電子マネーの利用客が電子レシートの利用客でない場合、プロセッサ２０１は、Ａｃｔ１３９においてＮＯと判定し、Ａｃｔ１４０へと進む。プロセッサ２０１は、Ａｃｔ１４０として、レシートデータをプリンタ２０８に出力する。これにより、プリンタ２０８は、レシートデータを印字したレシートをレシート発行口２０８Ａから発行する。その後、プロセッサ２０１はＡｃｔ１０２へと戻る。
【０１５７】
一方、電子マネーの利用客が電子レシートの利用客である場合には、プロセッサ２０１は、Ａｃｔ１３９においてＹＥＳと判定し、Ａｃｔ１４０の処理をスキップとして、Ａｃｔ１０２へと戻る。なお、この場合には、レシートデータは電子化されて電子レシートサーバ８０に対して送信されている。したがって利用客は、レシートを電子レシートとしてスマートフォン、タブレット端末等から閲覧することができる。
【０１５８】
ここに、プロセッサ２０１を主体とする対面式ＰＯＳ端末２０Ａのコンピュータは、Ａｃｔ１３８の処理を実行することにより、処理手段として機能する。また当該コンピュータは、Ａｃｔ１０３、Ａｃｔ１１３〜Ａｃｔ１１６、Ａｃｔ１３１〜Ａｃｔ１３２の処理を実行することにより、強制手段として機能する。
【０１５９】
対面式ＰＯＳ端末２０Ａは、以上の如く動作する。したがって、電子マネーで決済をする客は、少品目しか購入しない場合に、対面式ＰＯＳ端末２０Ａを利用してセルフにより購入商品の会計を行うことができる。具体的には、規定点数Ｎが“１”であった場合には、客は、商品を１点のみ購入する場合に、対面式ＰＯＳ端末２０Ａを利用して会計を行うことができる。規定点数Ｎが“２”であった場合には、客は、商品を２点まで購入する場合に、対面式ＰＯＳ端末２０Ａを利用して会計を行うことができる。
【０１６０】
対面式ＰＯＳ端末２０Ａを利用する客は、対面式ＰＯＳ端末２０Ａの筐体２００の正面に立ち、購入商品のコードシンボルを読取窓２０５Ａに翳す。このとき、購入商品が購入可能な商品であると、対面式ＰＯＳ端末２０Ａでは商品登録処理が実行される。
【０１６１】
ここで、規定点数Ｎが“１”であった場合には、電子マネーによる決済を行うように指示するメッセージがタッチパネル２０７に表示される。また、スキャナ２０５の機能が停止する。その結果、対面式ＰＯＳ端末２０Ａにおいては、電子マネーによる決済が強制される。このとき、２点目の購入商品がある客は、中止ボタンを操作する。そうすると、決済不可を通知するメッセージが表示されるので、客は、再度中止ボタンを操作し、筐体２００の前から離れる。
【０１６２】
一方、規定点数Ｎが“２”であった場合には、電子マネーによる決済を行うように指示するメッセージは表示されない。また、スキャナ２０５の機能も停止しない。したがって、客は２点目の購入商品のコードシンボルを読取窓２０５Ａに翳すことができる。このとき、２点目の購入商品も購入可能な商品であると、対面式ＰＯＳ端末２０Ａでは商品登録処理が実行される。そして電子マネーによる決済を行うように指示するメッセージがタッチパネル２０７に表示される。また、スキャナ２０５の機能が停止する。その結果、対面式ＰＯＳ端末２０Ａにおいては、電子マネーによる決済が強制される。
【０１６３】
購入商品の登録を終えた客は、電子マネーの記録媒体をアンテナ２０６Ａに翳す。そうすると、リーダ・ライタ２０６が記録媒体から電子マネーのデータを読み取る。そして、電子マネー残高が購入商品の決済金額以上ある場合、対面式ＰＯＳ端末２０Ａにおいては、電子マネーによる決済処理が実行される。また、電子レシートの利用客の場合には、電子レシートデータが電子レシートサーバ８０に送信される。これに対し、電子レシートの利用客でない場合には、プリンタ２０８により印刷されたレシートがレシート発行口２０８Ａから発行される。したがって、決済を終えた客は、レシートがレシート発行口２０８Ａから発行された場合はそのレシートを取った後、出入口１５を通って店外へ退出する。
【０１６４】
このように、規定点数Ｎ以内の商品を購入する客は、先ず、読取窓２０５Ａに購入商品のコードシンボルを翳し、続いてアンテナ２０６Ａに電子マネーの記録媒体を翳す。以上の操作を行うことにより、客は、対面式ＰＯＳ端末２０Ａを利用して購入商品の会計を済ませることができる。このとき、客は、商品の袋詰めを行わない。その結果、会計に要する処理時間を大幅に短縮することができる。ひいては、規定点数Ｎ以内の商品を購入する客の多くは対面式ＰＯＳ端末２０Ａを利用するようになるので、会計業務の混雑緩和を図ることができる。
【０１６５】
［変形例］
以下、各実施形態の変形例について説明する。  
第１乃至第３の実施形態では、プロセッサ２０１又はプロセッサ３０１は、カウント値ｎが規定点数Ｎに達した場合、スキャナ２０５又はスキャナ３０５に対してディスエイブル信号を出力してスキャナ２０５又はスキャナ３０５の機能を停止させた。この点に関しては、必ずしもスキャナ２０５又はスキャナ３０５の機能を停止させなくてもよい。要は、カウント値ｎが規定点数Ｎに達した場合、その後の商品登録を無効にできればよい。例えば、スキャナ２０５又はスキャナ３０５で読み取った商品ＩＤを読み捨てることで、商品登録ができないようにしてもよい。ここにプロセッサ２０１又はプロセッサ３０１を主体とする対面式ＰＯＳ端末２０Ａ又はスルー式ＰＯＳ端末３０Ａのコンピュータは、無効化手段として機能する。
第１乃至第３の実施形態では、読取手段としてスキャナ２０５又は３０５を例示したが、読取手段はスキャナ２０５又は３０５に限定されるものではない。例えば各商品に商品ＩＤ等の情報を記憶したＲＦＩＤタグを付して販売する店舗では、ＲＦＩＤタグのリーダ・ライタが読取手段として機能する。
【０１６６】
第１乃至第３の実施形態では、受付手段として電子マネー記録媒体のリーダ・ライタ２０６又は３０６を例示したが、受付手段はリーダ・ライタ２０６又は３０６に限定されるものではない。例えば決済方式としてクレジット方式を導入する場合には、クレジットカードのリーダが受付手段となり得る。現金決済を導入する場合には、自動釣銭機が受付手段となり得る。ＱＲコード（登録商標）を利用した二次元コード決済を導入する場合には、二次元コードリーダが受付手段となり得る。二次元コード決済の場合、ポストペイ、すなわちクレジットカード等を利用した後払いの決済となるため、電子マネーサーバ７０の代わりに、クレジット・ポストペイサーバーを新たに設ける構成となる。
【０１６７】
第１及び第２の実施形態では、制御手段は、決済処理が開始されると出口扉３１３を開動作させたが、出口扉３１３を開動作させるタイミングはこれに限定されるものではない。電子マネー決済処理が終わったことを確認して、出口扉３１３を開動作させてもよい。
【０１６８】
第１及び第２の実施形態では、第１阻止手段として入口扉３１２を例示し、第２阻止手段若しくは阻止手段として出口扉３１３を例示したが、いずれの阻止手段も、扉構造のものに限定されるものではない。要は、利用客の進入又は退出を阻止できればよい。
【０１６９】
第１及び第２の実施形態において、第１阻止手段としての入口扉３１２は無くてもよい。この場合、出口扉３１３は、阻止手段となる。また、出口扉３１３も、必ずしも必須のものではない。
【０１７０】
第１及び第２の実施形態では、電子レシートの利用者に限定したが、スルー式ＰＯＳ端末３０又は３０Ａにおいてもプリンタを搭載し、レシートを発行するようにしてもよい。この場合、レシート発行口は、タッチパネル３０７よりも出口１６側に形成することが好ましい。
【０１７１】
本会計装置を導入する店舗は、コンビニエンスストアに限定されるものではない。例えば公共施設、企業ビルなどの施設内に展開されている売店等に導入することも可能である。この場合において、第１又は第２の実施形態のスルー式ＰＯＳ端末３０又は３０Ａと、第３の実施形態の対面式ＰＯＳ端末２０Ａとを１店舗で併用してもよい。
【０１７２】
なお、本会計装置の譲渡は一般に、プログラムがＲＯＭに記憶された状態にて行われる。しかしこれに限らず、プログラムがＲＯＭに記憶されていない状態で譲渡されてもよい。そしてこの場合は、本会計装置が備える書き込み可能な記憶デバイスに、この会計装置とは個別に譲渡されたプログラムがユーザなどの操作に応じて書き込まれてもよい。プログラムの譲渡は、リムーバブルな記録媒体に記録して、あるいはネットワークを介した通信により行うことができる。記録媒体は、ＣＤ−ＲＯＭ，メモリカード等のようにプログラムを記憶でき、かつ装置が読み取り可能であれば、その形態は問わない。
【０１７３】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態及びその変形は、発明の範囲に含まれるとともに、特許請求の範囲に記載された発明とその均等の範囲に含まれる。
【符号の説明】
【０１７４】
２０，２０Ａ…対面式ＰＯＳ端末、３０，３０Ａ…スルー式ＰＯＳ端末、４０…ストアサーバ、５０…ネットワーク、６０…広域ネットワーク、７０…電子マネーサーバ、８０…電子レシートサーバ、９０…連携サーバ、２０１，３０１…プロセッサ、２０２，３０２…メインメモリ、２０３，３０３…補助記憶デバイス、２０４，３０４…通信インターフェース、２０５，３０５…スキャナ、２０６，３０６…リーダ・ライタ、２０７，３０７…タッチパネル、２０８…プリンタ、２０９，３０８…Ｉ／Ｏポート、３０９…入口センサ、３１０…出口センサ、３１１…通路センサ、３１２…入口扉、３１３…出口扉。
【図１】
2019204404.tif 000003
【図２】
2019204404.tif 000004
【図３】
2019204404.tif 000005
【図４】
2019204404.tif 000006
【図５】
2019204404.tif 000007
【図６】
2019204404.tif 000008
【図７】
2019204404.tif 000009
【図８】
2019204404.tif 000010
【図９】
2019204404.tif 000011
【図１０】
2019204404.tif 000012
【図１１】
2019204404.tif 000013
【図１２】
2019204404.tif 000014
【図１３】
2019204404.tif 000015
【図１４】
2019204404.tif 000016
【図１５】
2019204404.tif 000017
【図１６】
2019204404.tif 000018
【図１７】
2019204404.tif 000019
【図１８】
2019204404.tif 000020